(57)【特許請求の範囲】
【請求項１】
クランク軸の偏心部とピストンを連結して回転運動を往復スライディング運動に変換させるための密閉型往復動式圧縮機のコネクティング装置であって、
前記偏心部に回転自在に結びついて、外周には前記偏心部の軸芯に対して所定傾斜を有する傾斜面を有するブッシュと;
一端には前記ピストンに結びついたピストンピンが結びつく小内径が形成されて、他端には前記ブッシュの傾斜面に沿って前記軸芯方向に前記ブッシュと結びつく結合部を有するコネクティングロッドと;
前記結合部と前記ブッシュが相対的に動き可能なようにその結合部とブッシュを締結させる締結部材と;
を含むことを特徴とする密閉型往復動式圧縮機のコネクティングロッド装置。
【請求項２】
前記ブッシュは、前記偏心部が結びつく大内径を持って、外周には前記傾斜面を有する円筒形の本体と;前記本体の外周に所定間隔に突出形成された複数の突起部と;を含むことを特徴とする請求項1に記載の密閉型往復動式圧縮機のコネクティングロッド装置。
【請求項３】
前記結合部は、柱型の本体一端で半円形状を有するように分岐される一対の支持ビームと;
前記各支持ビームの先端でお互い対向する内側に折曲形成されて前記ブッシュの結合をガイドする折曲部と;
を有することを特徴とする請求項１または請求項２に記載の密閉型往復動式圧縮機のコネクティングロッド装置。
【請求項４】
前記結合部には、前記ブッシュの傾斜面に対応される傾斜部が作られて、相互スライディング結合時傾斜面と結合部が密着されて結びつくことを特徴とする請求項1または請求項2に記載の密閉型往復動式圧縮機のコネクティングロッド装置。
【請求項５】
前記傾斜面と前記傾斜部各々は前記偏心軸の軸芯に対して３〜５度の傾斜を有することを特徴とする請求項4に記載の密閉型往復動式圧縮機のコネクティングロッド。
【請求項６】
前記結合部は、柱型の本体一端で半円形状を有するように分岐される一対の支持ビームと;前記ブッシュの外周に突出形成する突起部に対応されるように前記各支持ビームの内側に形成された結合ホームと;を含むことを特徴とする請求項１または請求項２に記載の密閉型往復動式圧縮機のコネクティングロッド装置。
【請求項７】
前記締結部材は、前記結合部と前記ブッシュを一緒に縛って結合させることができるように所定直径を有するピアノ線であることを特徴とする請求項1に記載の密閉型往復動式圧縮機のコネクティングロッド装置。
【請求項８】
前記ピアノ線は少なくとも1．5mm以下の直径を有することを特徴とする請求項7に記載の密閉型往復動式圧縮機のコネクティングロッド装置。
【請求項９】
前記締結部材は、中間部位に前記ブッシュの突起部をクランピングするように所定形状に折曲されたクランピング部と;
前記クランピング部で対称とされる形状に延長されて前記ブッシュの下側を覆いかぶせて支持する一対の支持部と;
前記支持部から延長折曲されて前記結合部を覆いかぶせてクランピングする先端部と;を有するピアノ線であり、
前記ブッシュは前記ピアノ線に支持されて前記結合部から下側に離脱されるのを防止することを特徴とする請求項2に記載の密閉型往復動式圧縮機のコネクティングロッド装置。
【発明の詳細な説明】
【０００１】
【発明の属する技術分野】
本発明は、密閉型往復動式圧縮機に関し、より詳細にはクランク軸とピストンを連結する密閉型往復動式圧縮機のコネクティングロッド装置に関する。
【０００２】
【従来の技術】
一般的に、密閉型圧縮機は、図１に示されたように、ステータ2とそのステータ2の周辺に回転自在に設置されるローター4を有するモーター部1と、クランク軸6と、コネクティングロッド8と、ピストン10などを含んで構成される。
【０００３】
クランク軸6は、ローター4に結びついて一体に回転され、下部には偏心部6aを有する。偏心部6aには、コネクティングロッド8の一端に作られた大径部8aが連結される。コネクティングロッド8の他端に作られた小径部8bはピストン10が連結される。ピストン10はシリンダー12のピストン室12a内で直線往復移動される。図2を参照するに、コネクティングロッド8の大径部8aには偏心部6aが結びつく大内径h1が形成され、小径部8bにはピストンピン11が結びつく小内径h2が形成される。大内径h1と小内径h2はオイル移送路8cにより連通される。
【０００４】
前記構成で、クランク軸6はローター4の駆動により一緒に回転されて偏心部6aを回転させる。コネクティングロッド8は偏心部6aの偏心回転を直線運動に変換してピストン10を直線に往復移動させる。すなわち、このような密閉型往復動式圧縮機はモーター部1の回転運動をピストン10の直線往復移動に転換させる構造でなされる。
【０００５】
一方、前記構成を有する密閉型圧縮機において、クランク軸6の軸芯はコネクティングロッド8との交差時90度になり、その角度は機構的に非常に重要な設計上の要素で知られている。したがって、関連部品には形状公差などを記載することが一般的である。
【０００６】
また、ピストン10は、シリンダー12のピストン室12a内で適正クリアランスを維持しながらスライディング運動をするものの、クランク軸6の軸芯を基準に平行度及び対称度が変わらないで一定に維持されるべきである。
【０００７】
また、ピストン10は、ピストンピン11との直角度を成し、コネクティングロッド8の場合各大内径h1及び小内径h2間の対称度及び平行度の正確度などが重要な要素である。
【０００８】
以上で説明したように、コネクティングロッド8を基準にした多様な機構的な結合関係すなわち、クランク軸6の軸芯に対するコネクティングロッド8の整列は圧縮機の駆動能力に大きい影響を及ぼす要素である。したがって、前記のようなクランク軸6の軸芯に対するコネクティングロッド8の整列が外れたり不安定な場合、各機構らのあいだの摩擦及び摩耗がひどく発生して正常に駆動できない問題点がある。特に、クランク軸6とピストン10との機構的な整列がなされない場合、その問題点が深刻化される。
【０００９】
したがって、クランク軸6の回転運動をスライディング運動に転換させるコネクティングロッド装置の加工誤差などを補償して装置の信頼性を高める必要がある。
【００１０】
【発明が解決しようとする課題】
本発明は、前記と同じ問題点を解決するために案出されたものであり、クランク軸とピストンとのミスアライメントを補償できるように構造が改善された密閉型往復動式圧縮機のコネクティングロッド装置を提供することにその目的がある。
【００１１】
【課題を解決するための手段】
前記目的を達成するための本発明に係る密閉型往復動式圧縮機のコネクティングロッド装置は、クランク軸の偏心部とピストンを連結して回転運動を往復スライディング運動に変換させるための密閉型往復動式圧縮機のコネクティング装置において、前記偏心部に回転自在に結びついて、外周には前記偏心部の軸芯に対して所定傾斜が設けられた傾斜面を有するブッシュと;一端には前記ピストンに結びついたピストンピンが結びつく小内径が形成されて、他端には前記ブッシュの傾斜面に沿って前記軸芯方向に前記ブッシュと結びつく結合部を有するコネクティングロッドと;前記結合部と前記ブッシュが相対的に動き可能なようにその結合部とブッシュを締結させる締結部材と;を含むことを特徴とする。
【００１２】
ここで、前記ブッシュは、前記偏心部が結びつく大内径を持って、外周には前記傾斜面を有する円筒形の本体と;前記本体の外周に所定間隔に突出形成された複数の突起部と;を含むことが好ましい。
【００１３】
また、前記結合部は、柱型の本体一端から半円形状を有するように分岐される一対の支持ビームと;前記各支持ビームの端でお互い対向する内側に折曲形成されて前記ブッシュの結合をガイドする折曲部と;を有することが良い。
【００１４】
また、前記結合部には、前記ブッシュの傾斜面に対応される傾斜部が作られて、相互スライディング結合時傾斜面と結合部が密着されて結びつくことが良い。
【００１５】
また、前記傾斜面と前記傾斜部各々は前記偏心軸の軸芯に対して3〜5度の傾斜を有することが良い。
【００１６】
また、前記結合部は、柱型の本体一端で半円形状を有するように分岐される一対の支持ビームと;前記ブッシュの外周に突出形成された突起部に対応されるように前記各支持ビームの内側に形成された結合ホームと;を含むことが良い。
【００１７】
また、前記締結部材は、前記結合部と前記ブッシュとを共に縛って結合させるように所定直径を有するピアノ線であることを特徴とする。
【００１８】
また、前記ピアノ線は少なくとも1．5mm以下の直径を有することが良い。
【００１９】
また、前記締結部材は、中間部位に前記ブッシュの突起部をクランピングするように所定形状に折曲されたクランピング部と;前記クランピング部で対称とされる形状に延長されて前記ブッシュの下側を覆いかぶせて支持する一対の支持部と;前記支持部から延長折曲されて前記結合部を覆いかぶせてクランピングする先端部と;を有するピアノ線であり、前記ブッシュは前記ピアノ線に支持されて前記結合部から下側に離脱されるのが防止されることが好ましい。
【００２０】
【発明の実施の形態】
以下、添付された図を参照して、本発明の実施例に係る密閉型往復動式圧縮機のコネクティングロッド装置を詳細に説明する。
【００２１】
図３を参照するに、本発明の実施例に係る密閉型往復動式圧縮機のコネクティングロッド装置は、ブッシュ20と、コネクティングロッド30と、締結部材40とを具備する。
【００２２】
ブッシュ20は、クランク軸6の偏心部6aに回転自在に結びつく。ブッシュ20は、偏心部6aが結びつく大内径21aを有する本体21と、本体21の外周に突出形成された複数の突起部23を有する。各突起部23は、互いに大内径21aの中心に対して等間隔に対向されるように形成される。本体21は、円筒形状を有する。本体21の大内径21aには、クランク軸6の偏心部6aが結びついて、外側にはコネクティングロッド30が結びつく。また、本体21は、図4に示されたように、コネクティングロッド30と一緒にするように外周に所定角度の傾斜面21bを有する。傾斜面21bは、偏心部6aの軸芯Cに対して約3〜5度の傾斜を有することが望ましい。傾斜面21bは、突起部23に対向される位置に形成されて、本体21の外周に突出されて形成される。
【００２３】
コネクティングロッド30は、一先端部にブッシュ20と結びつく結合部31を持って、他端にはピストンピン11が結びつく小内径33が形成される。結合部31は、軸芯C方向にブッシュ20の傾斜面21bに沿って結びつく。このために結合部31は、柱型の本体部30a一端で半円形状を有するように分岐される一対の支持ビーム31aと、その支持ビーム31aの内周に形成された結合ホーム31bを有する。
【００２４】
また、結合部31の内側には、ブッシュ20の傾斜面21bに対応される傾斜部31cが形成される。傾斜部31cも軸芯C方向に対して3〜5度の傾斜を有することが望ましい。
【００２５】
また、結合ホーム31bは、ブッシュ20に形成された突起部23に対応されるように、一対が所定間隔をもって形成される。前記構成で、ブッシュ20は、軸芯C方向に結合部31とスライディングにより結びつく。したがって、結合初期には、ブッシュ20の傾斜面21bと結合部31の傾斜部31cの間に所定ギャップが発生される途中で、完全に結びつけば傾斜面21bと傾斜部31cが密着されてギャップがなくなる。したがって、軸芯Cに対するコネクティングロッド30の設置角が一定に維持できる。
【００２６】
また、コネクティングロッド30の本体部30aと結合部31の連結部位には、締結部材40が固定される一対の掛溝31dが形成される。
【００２７】
一方、締結部材40は、所定テンション強度を有するように所定形状に形成されたピアノ線であることが望ましい。このピアノ線は少なくとも1．5mm以下の直径を有することが望ましい。このような締結部材40は、中間部位にブッシュ20の突起部23をクランピングするように所定形状に折曲されたクランピング部41と、クランピング部41で対称とされる形状に延長されて前記ブッシュの下側を覆いかぶせて支持する一対の支持部43と、支持部43から延長折曲されて結合部31を覆いかぶせてクランピングする先端部45を有する。すなわち、図5に示されたように、締結部材40のクランピング部41は、突起部23を下から上に支持しながらクランピングし、支持部43はブッシュ20の下側で支えて支持して、先端部45は結合部31を覆いかぶせるようにクランピングして固定される。このように、締結部材40がブッシュ20を下側で支持した状態で、先端部45が結合部31に固定されることによって、ブッシュ20が結合部31の下側に分離されることが防止される。
【００２８】
前記構成を有する本発明の実施例に係る密閉型圧縮機のコネクティング装置は、突起部23と結合ホーム31bを一致させた状態で、ブッシュ20と結合部31を軸芯C方向に相互スライディングにより結合させる。この時、ブッシュ20の傾斜面21bと結合部31の傾斜部31cは結合初期には所定ギャップが形成されるが、ブッシュ20と結合部31がより結びつけば傾斜面21bと傾斜部31cが密着されてギャップが発生しない。
【００２９】
そして、前記状態で、図5に示されたように、締結部材40を利用してブッシュ20と結合部31を締結させる。すると、ブッシュ20は締結部材40に支持されて下側に離脱されないようになる。もちろん、ブッシュ20は、傾斜面21bが傾斜部31cに密着されているので、上側でも離脱されないようになる。そして、締結部材40は所定のテンションを有するピアノ線である。したがって、例えばクランク軸6の偏心部6aとピストン間の軸芯がお互いミスアライメントされても、締結部材40がテンションを受けながら捩じれた角を補償する。
【００３０】
また、傾斜面21bと傾斜部31cが密着されるように結びつくことによって、クランク軸6の駆動によりピストンの往復動駆動時、コネクティングロッド30とブッシュ20間に衝突や摩擦を減らすことができる。したがって、コネクティングロッド30とブッシュ20の摩擦による摩耗や、衝突による高周波帯域での騷音を減らしうる。
【００３１】
図6は、本発明の他の実施例に係る密閉型往復動式圧縮機のコネクティングロッド装置の概略的な平面図である。ここで、コネクティングロッド装置は、本体131の一端で半円形状に分岐された結合部133を有するコネクティングロッド130と、コネクティングロッド130の結合部133に結びつくブッシュ120及び締結部材140とを具備する。
【００３２】
コネクティングロッド130の他端部には、ピストンピンが結びつく小内径135が形成される。結合部133の両端には、互いに対向するように折曲された折曲部133aが形成される。結合部133の内側には傾斜部133bが突出形成される。この傾斜部133bは、ブッシュ120の軸方向Cに対して、約3ないし5度の傾斜を有することが望ましい。また、結合部133と本体131の境界には、締結部材140の両端が結びついて固定される一対の固定溝133cが形成される。
【００３３】
ブッシュ120は、円筒形の本体121と、その本体121の外側に突出形成された複数の突起部123を有する。突起部123は、本体121の中心に対して互いに対称に形成されて、それらのひとつは傾斜面123bを有する。傾斜面123bは、傾斜部133bに対向して、結合時互いに密着されて結びつく。また、残りの突起部123は上段にフランジ123aを有する。ブッシュ120は、結合部133に上側より下側にスライディング結合され、この時突起部123は折曲部133aにガイドされ支持されて、フランジ123aが結合部133の上側に接触支持される。フランジ123aが結合部133上側にかかって、傾斜面123bが傾斜部133bに密着されれば、ブッシュ120は結合部133の下側に抜けないようになる。
【００３４】
締結部材140は、図5に示された締結部材40と同じ構成要素として、ブッシュ120とコネクティングロッド130を締結させる。ただし、この締結部材140は、ブッシュ120が結合部133の上側に抜けることを防止するように、ブッシュ120と結合部133の上側を覆いかぶせるように結びつく。
【００３５】
一方、前記構成を有する本発明の他の実施例に係るコネクティングロッド装置の結合方法及び作用効果は、図3に示されたコネクティングロッド装置と同一なので省略する。
【００３６】
【発明の効果】
以上で説明したように、本発明に係る密閉型往復動式圧縮機のコネクティングロッド装置によれば、クランク軸の偏心部に結びつくブッシュとコネクティングロッドの結合部が上下スライディング動作により結びついて、結合時それぞれの傾斜面と傾斜部が密着されるように結びつく。したがって、圧縮機の駆動時ブッシュとコネクティングロッド間のギャップにより摩耗や摩擦及び衝突による高周波騷音が発生されることを抑制させることができる。
【００３７】
また、テンションを有する締結部材によりブッシュとコネクティングロッドが結びつくことによって、クランク軸とピストンのミスアライメントが締結部材のテンションにより補償可能になることで、機器の信頼性を高める利点がある。
【図面の簡単な説明】
【図１】一般的な密閉型往復動式圧縮機を示した概略的な部分断面図である。
【図２】図１のコネクティングロッドを示した概略的な断面図である。
【図３】本発明の実施例に係る密閉型往復動式圧縮機のコネクティングロッド装置を示した概略的な分離斜視図である。
【図４】図３に示されたコネクティングロッド装置の断面図である。
【図５】図３に示されたコネクティングロッド装置の結合斜視図である。
【図６】本発明の他の実施例に係る密閉型往復動式圧縮機を説明するための分離斜視図である。
【符号の説明】
６    クランク軸
６ａ  偏心部
２０、１２０  ブッシュ
２１、１２１、１３１  本体
２１ａ  大内径
２１ｂ、１２３ｂ  傾斜面
２３、１２３  突起部
３０、１３０  コネクティングロッド
３０ａ  本体部
３１、１３３  結合部
３１ａ  支持ビーム
３１ｂ  結合ホーム
３１ｃ、１３３ｂ  傾斜部
３１ｄ  掛溝
３３、１３５  小内径
４０、１４０  締結部材
４１  クランピング部
４３  支持部
４５  先端部
１２３ａ  フランジ
１３３ａ  折曲部
１３３ｃ  固定溝
【図１】
0003857152.tif 000002
【図２】
0003857152.tif 000003
【図３】
0003857152.tif 000004
【図４】
0003857152.tif 000005
【図５】
0003857152.tif 000006
【図６】
0003857152.tif 000007